(57)【要約】【課題】本発明は多種類の携帯用電気機器の充電が１つのもので共用でき、且つ非接触型再充電性電池を充電する際は接点が露出しないので、端子の電極の間違いや電池サイズを気にすることなく充電出来る接触型充電式携帯用電気機器のアダプター及び非接触型充電パッドを提供することを目的とする。【解決手段】携帯用電気機器６に接続するコネクター１と、起電力を誘導させるための二次コイルを設けると共にその起電力用定電圧回路及び整流回路とから成す基盤と、該基盤と二次コイルが内蔵されたケース４とから構成する。又、非接触型充電パッド８として、板状のパッド本体８１と、それに内蔵した一次コイルと、差込プラグ８６と、パッド本体８１の表面に描示した載置描示部とから少なくとも構成したものとする。【選択図】        図３
2004350465.tif 000002
【特許請求の範囲】
【請求項１】
接触型充電式の携帯用電気機器（６）に接続するコネクター（１）と、起電力を誘導させるための二次コイル（３）を設けると共にその起電力が整流され且つ所定電圧にするための機能を有した基盤（２）とから少なくとも構成させたことを特徴とする接触型充電式携帯用電気機器のアダプター。
【請求項２】
前記基盤（２）と前記二次コイル（３）が絶縁性のケース（４）に内蔵され、且つ該ケース（４）が前記携帯用電気機器（６）に具備した紐（７）で吊下された請求項１記載の接触型充電式携帯用電気機器のアダプター。
【請求項３】
前記基盤（２）が、誘導させた起電力の電圧を安定化させるための定電圧回路（２１）と、整流機能を有した整流回路（２２）とから成された請求項１記載の接触型充電式携帯用電気機器のアダプター。
【請求項４】
前記ケース（４）が、乗物や動物或いはキャラクターなどの形状に形成すると共に少なくとも上部にコネクター収納部（４１２）を設けたケース本体（４１）と、該ケース本体（４１）の下部に取付けると共に前記基盤（２）と前記二次コイル（３）を内蔵する収納箱（４２）と、前記コネクター収納部（４１２）に冠着する蓋（４３）とから成された請求項２記載の接触型充電式携帯用電気機器のアダプター。
【請求項５】
前記ケース（４）が、乗物や動物或いはキャラクターなどの形状に形成したケース本体（４１）と、該ケース本体（４１）に嵌着すると共に前記基盤（２）と前記二次コイル（３）を内蔵する収納箱（４２）とから成された請求項２記載の接触型充電式携帯用電気機器のアダプター。
【請求項６】
前記コネクター（１）が他の携帯用電気機器（６）に接続できるための中継具（５）を具備し、該中継具（５）の一端には前記コネクター（１）と接続するための中継コネクター（５１）が設けられ、他端には前記携帯用電気機器（６）に接続するための差込コネクター（５２）が設けられ、且つこの差込コネクター（５２）には電圧調整機能及び逆流防止機能を有する基盤（５３）が内蔵された請求項１記載の接触型充電式携帯用電気機器のアダプター。
【請求項７】
二次コイル（３）に起電力を誘導させるための充電パッド（８）であり、該充電パッド（８）が、板状のパッド本体（８１）と、該パッド本体（８１）に内蔵した一次コイル（８２）と、差込プラグ（８６）と、前記パッド本体（８１）の表面に二次コイル（３）が載置される位置或いは非接触型再充電性電池などを描示した載置描示部（８７）とから少なくとも構成されたことを特徴とする非接触型充電パッド。
【請求項８】
前記一次コイル（８２）が複数個である請求項７記載の非接触型充電パッド。
【発明の詳細な説明】
【０００１】
【発明の属する技術分野】
本発明は接触型充電式携帯用電気機器を充電する際、接触型を非接触型に変換することが可能となる接触型充電式携帯用電気機器のアダプター及びそれに使用する非接触型充電パッドに関する。
【０００２】
【従来の技術】
従来、接触型充電式携帯用電気機器を充電する場合には、専用の充電器（充電用アダプー）を用意し、充電器の接点を確認してから充電が行われていた。
【０００３】
【発明が解決しようとする課題】
しかしながら、前記接触型充電式携帯用電気機器には必ず専用の充電器を使用しなければならず、他の充電器を兼用させることは出来なかった。また前記充電器は接点が露出しているので、湿気の多い場所で充電すると、漏電やショートする場合があると共に充電器の接点と携帯用電気機器の端子が確実に接触していないと、接触不良を起こし、充電効果が低下する恐れがある等の問題点があった。
【０００４】
一方、乾電池型の二次電池を充電する専用の充電器を使用する場合、プラスとマイナスの端子を間違えて充電すると、液漏れや発熱或いは破損する危険性が大きかった。しかも二次電池の形状が乾電池と同一であるため、乾電池を二次電池と間違えて充電する恐れがあり、間違えて充電すると乾電池は発熱し、その後に破損する危険性が大きい等の問題点もあった。
【０００５】
本発明は充電する際に非接触型の充電器を用いて充電作業ができ、且つ多種類の携帯用電気機器の充電が１つのもので共用でき、簡単に充電することが可能となる接触型充電式携帯用電気機器のアダプターを提供することを目的とする。
【０００６】
また本発明は接触型充電式携帯用電気機器の充電や非接触型再充電性電池の充電用として共用することが可能となり、且つ非接触型再充電性電池を充電する際にはプラスとマイナスの端子の間違いによる破損の心配がなく、更に非接触型再充電性電池のサイズに関係なく簡単に充電することが可能となる非接触型充電パッドを提供することを目的とする。
【０００７】
【課題を解決するための手段】
本発明は上記問題点を解消するために成されたものであり、つまり、接触型充電式の携帯用電気機器に接続するコネクターと、起電力を誘導させるための二次コイルを設けると共にその起電力が整流され且つ所定電圧にするための機能を有した基盤とから少なくとも構成させる。この時、基盤と二次コイルが絶縁性のケースに内蔵され、且つケースが携帯用電気機器に具備した紐で吊下されるようにしても良く、基盤としては、誘導させた起電力の電圧を安定化させるための定電圧回路と、整流機能を有した整流回路とから成すものとするのが好ましく、前記ケースとしては、乗物や動物或いはキャラクターなどの形状に形成したケース本体と、該ケース本体に嵌着すると共に基盤と二次コイルを内蔵する収納箱とから成すものとしたり、ケース本体上部にコネクター収納部を設けると共にそれに冠着する蓋を設けたものとしても良い。またコネクターが他の携帯用電気機器に接続できるための中継具を具備し、該中継具の一端にはコネクターと接続するための中継コネクターが設けられ、他端には携帯用電気機器に接続するための差込コネクターが設けられ、且つこの差込コネクターには電圧調整機能及び逆流防止機能を有する基盤が内蔵されたものとしても良い。
【０００８】
又、非接触型充電パッドとして、板状のパッド本体と、該パッド本体に内蔵した一次コイルと、差込プラグと、パッド本体の表面に二次コイルが載置される位置或いは非接触型再充電性電池などを描示した載置描示部とから少なくとも構成したものとする。またパッド本体に内蔵する一次コイルを複数個としても良い。
尚、本発明で言う「非接触型再充電性電池」とは、本発明者が特願２００３−１０３７８９で提案した電池を指す。
【０００９】
【発明の実施の形態】
図１、図２は本発明のアダプターの実施形態を示す図であり、この図に基づいて説明する。（１）は接触型充電式の携帯用電気機器（６）に接続するためのコネクターであり、該コネクター（１）としては携帯電話機に接続出来るものとするのが好ましい。（２）は起電力を誘導させるための二次コイル（３）を設けると共にその起電力が整流され且つ所定電圧にするための機能を有した基盤であり、該基盤（２）が、誘導させた起電力の電圧を安定化させるための定電圧回路（２１）と、整流機能を有した整流回路（２２）とから成されている。前記定電圧回路（２１）には、電圧安定化用の三端子ＩＣ（２１１）と、抵抗（２１２）と、通電状態を確認出来る発光ダイオード（２１３）と、電解コンデンサー（２１４）と、コンデンサー（２１５）とがあり、前記抵抗（２１２）と発光ダイオード（２１３）が直列に接続したものと、電解コンデンサー（２１４）と、コンデンサー（２１５）とは並列に接続されている。また前記整流回路（２２）には、整流するダイオード（２２１）と、抵抗（２２２）と、電解コンデンサー（２２３）と、コンデンサー（２２４）とがあり、前記抵抗（２２２）と、電解コンデンサー（２２３）と、コンデンサー（２２４）は並列に接続されている。尚、前記基盤（２）としては、各携帯用電気機器（６）の仕様に合せたものを使用する。例えば定電圧として３．６Ｖ，４Ｖ，６Ｖ，９Ｖ，１２Ｖの内の１つを選択する。また前記基盤（２）には、電圧検知機能，過充電防止機能，逆流防止機能，充電状態が分かる機能の全て又は一部を備えたものとしても良い。
【００１０】
（３）は起電力を誘導させるための二次コイルであり、図２に示すように所定数巻回されている。また前記二次コイル（３）は後述する充電パッド（８）の一次コイル（８２）に接近した時に起電力を誘導させるためのものである。（４）は基盤（２）と二次コイル（３）を内蔵すると共に乗物や動物或いはキャラクターなどの形状に形成させた合成樹脂製で絶縁性のケースであり、該ケース（４）は、乗物や動物或いはキャラクターなどの形状に形成すると共に上部にコネクター収納部（４１２）を設けたケース本体（４１）と、該ケース本体（４１）の下部に取付けると共に前記基盤（２）と前記二次コイル（３）を内蔵する収納箱（４２）と、前記コネクター収納部（４１２）に冠着する蓋（４３）とから成されている。また前記ケース本体（４１）の下部には嵌合部（４１１）が設けられ、その嵌合部（４１１）は収納箱（４２）と嵌合して一体化される。又、前記二次コイル（３）が内蔵された前記ケース（４）の箇所を、図９に示すように下方へ突出させた凸部（４４）に形成させても良い。尚、前記ケース（４）が図５に示すように、乗物や動物或いはキャラクターなどの形状に形成したケース本体（４１）と、該ケース本体（４１）に嵌着すると共に前記基盤（２）と前記二次コイル（３）を内蔵する収納箱（４２）とから成されたものとしても良い。また前記ケース（４）は携帯用電気機器（６）の携帯電話機などに具備された紐（７）で吊下して使用すると良い。更に前記ケース本体（４１）の側面には前記発光ダイオード（２１３）用の図示しない窓穴を設けておくと良く、且つ前記ケース（４）の内部要所には磁気が遮断されるための図示しないシール材を貼着させておくのが好ましい。
【００１１】
（５）はコネクター（１）が他の携帯用電気機器（６）に接続できるようにさせるために具備した中継具であり、該中継具（５）の一端にはコネクター（１）と接続するための中継コネクター（５１）が設けられ、他端には携帯用電気機器（６）に接続するための差込コネクター（５２）が設けられ、前記中継コネクター（５１）には電圧調整機能及び逆流防止機能を有する基盤（５３）が内蔵されている（図４参照）。また前記差込コネクター（５２）としては、使用頻度の多い携帯用電気機器（６）に合せた図４（ａ）のようなプラグや図４（ｂ）に示すコネクターを取付けると良い。又、前記基盤（５３）としては、図６に示すようにダイオード（５３１）と抵抗（５３２）から成されている。尚、前記基盤（５３）は起電力を調整する機能が備えられたものとしても良い。（６）は接触型充電式の携帯用電気機器であり、該携帯用電気機器（６）としては、携帯電話機，デジタルカメラ，小型クリーナー，ＭＤプレーヤー，ＣＤプレーヤー，ノートパソコン，モバイルプリンター，ＰＤＡ，シェーバー，ゲームボーイなどのゲーム機器、ラジコンなどのおもちゃ類，デジタルビデオカメラ，液晶携帯テレビ等である。（７）は携帯用電気機器（６）に具備された紐であり、これはケース（４）を吊下する際に利用すると良い。
【００１２】
図７は本発明の非接触型充電パッドの実施形態を示す図であり、この非接触型充電パッド（８）を図に基づいて説明する。（８１）は板状のパッド本体であり、（８２）はパッド本体（８１）に内蔵した一次コイルであり、該一次コイル（８２）としては、図７（ａ）のような大きなものと、図７（ｂ）に示すような複数個内蔵されたものとがある。（８３）はパッド本体（８１）の表面に設けられたスイッチである。この時、図７（ｂ）のように一次コイル（８２）が３個内蔵された場合のスイッチ（８３）は、図８の図中に示すように３個のスイッチ（８３）が設けられているが、前記スイッチ（８３）を３個設ける代りに、図７（ｂ）に示すダイヤル型スイッチを利用すると、１個のもので切換えることが出来る。（８４）はパッド本体（８１）に内蔵したヒューズである（図８参照）。（８５）はパッド本体（８１）の表面に設けられた発光ダイオードであり、これは充電中の状態を示す。（８６）は家庭用コンセントに差込むための差込プラグであり、（８７）はパッド本体（８１）の表面に描示した載置描示部であり、該載置描示部（８７）としては、図７（ａ）に示すような二次コイル（３）側が載置される位置或いは図７（ｂ）に示す乾電池型で且つ非接触型再充電性電池の外形などを線で描示している。又、前記載置描示部（８７）に描示したコイルの下に一次コイル（８２）が内蔵されている。更に前記一次コイル（８２）の内形部分を図９に示す穴（８８）又は凹みを形成させても良い。尚、前記充電パッド（８）は、市販されている非接触型充電式シェーバーの専用アダプターの電気回路と基本的には同じ回路であり、全体の形状がマウスパッドのような平らで薄いものに形成されたものを基本形としたものである。前記電気回路は公知であるので、これ以上の詳細な説明は省略する。
【００１３】
次に本発明の使用方法について説明する。先ず始めに本発明が図２に示すように、ケース（４）の上部にコネクター（１）が収納されたタイプの場合には、先ず蓋（４３）を外し、コネクター収納部（４１２）からコネクター（１）を取出す。
この時、本発明が図５に示すように、ケース（４）の上部にコネクター（１）がコイル状のコードを介して取付けられたタイプの場合には、予め図示しないコネクター（１）のジョイント部のカバーを外しておく。そして前記コネクター（１）を携帯用電気機器（６）である携帯電話機のジョイント部に差込んで接続する。次にケース（４）を図７（ａ）に示す充電パッド（８）の載置描示部（８７）に載置させると共に携帯電話機（６）をその横に置く（図３参照）。そして非接触型の充電パッド（８）の差込プラグ（８６）を適宜箇所のコンセントに差込み、スイッチ（８３）を入れると、発光ダイオード（８５）が点灯されるのである。この状態で所定時間放置して置けば、携帯用電気機器（６）は充電されるのである。
【００１４】
充電後、スイッチ（８３）を切る。そして携帯電話機（６）のジョイント部からコネクター（１）を引抜き、コードと共にコネクター（１）をコネクター収納部（４１２）に入れる。その後、蓋（４３）をコネクター収納部（４１２）に冠着させる。
そして携帯電話機（６）を持上げれば、本発明品は紐（７）を介して携帯電話機（６）に吊下されるのである。この時、ケース（４）の形状が、図３に示す自動車や図５（ａ）に示す動物或いは図５（ｂ）に示す缶に形成されていると、キーホルダーなどのような感覚のアクセサリーとなる。
【００１５】
又、図７（ｂ）に示す充電パッド（８）を使用して乾電池型で且つ非接触型再充電性電池を充電する場合について説明する。先ず始めに図７（ｂ）に示す充電パッド（８）の載置描示部（８７）に非接触型再充電性電池を載置させる。次に非接触型の充電パッド（８）の差込プラグ（８６）を適宜箇所のコンセントに差込み、スイッチ（８３）を入れると、発光ダイオード（８５）が点灯されるのである。この状態で所定時間放置して置けば、非接触型再充電性電池は充電されるのである。この時、非接触型再充電性電池が充電パッド（８）の載置描示部（８７）に３本載置させる時には、ダイヤル型のスイッチ（８３）を３の箇所に合せ、非接触型再充電性電池が充電パッド（８）の載置描示部（８７）に２本載置させる時には、スイッチ（８３）を２の箇所に合せ、且つ非接触型再充電性電池が充電パッド（８）の載置描示部（８７）に１本載置させる時には、スイッチ（８３）を１の箇所に合せると良い。尚、前記非接触型再充電性電池を充電パッド（８）の載置描示部（８７）に載置させる際、図形の通りに置き且つ描示番号順に載置すれば良い。又、図９に示す如くケース（４）の下部に凸部（４４）を形成して、その凸部（４４）に二次コイル（３）が内蔵されたものと、一次コイル（８２）の内形部分に穴（８８）を形成させたものが使用されて充電する場合、前記凸部（４４）を穴（８８）に挿入することにより、起電力が一次コイル（８２）の上に載せる場合よりも約１割前後増加されると共にケース（４）の位置が固定化出来るものとなる。
【００１６】
【発明の効果】
本発明はこのように構成させたことにより、下記に記載する効果を有する。
【００１７】
請求項１のように接触型充電式の携帯用電気機器（６）に接続するコネクター（１）と、起電力が誘導されるための二次コイル（３）を設けると共にその起電力が整流され且つ所定電圧にされるための機能を有した基盤（２）とから少なくとも構成することにより、携帯電話機などの携帯用電気機器（６）を充電する場合に、接触型を非接触型に変換することが可能となるため、非接触型充電パッド（８）が使用出来るものとなるため、従来の如き専用の充電器（充電用アダプー）を各機種毎に用意しなくても、１つだけ用意しておけば、多種類の携帯用電気機器（６）の充電が１つの非接触型充電パッド（８）で共用できるものとなり、且つ従来の充電器のように一々接点を確認しなくても良くなると共にプラス側とマイナス側の確認も不要となり、非接触型充電パッド（８）の上に載置するだけの作業で簡単に充電することが可能となる。しかも充電器の接点が露出されない状態で充電を行うことが出来るので、湿気の多い場所で充電しても、漏電やショートすることがなく、且つ充電器の接点と携帯用電気機器（６）の端子が確実に接触されずに接触不良を起こしたり、充電効果を低下させる恐れもないものとなった。
【００１８】
請求項２のように基盤（２）と二次コイル（３）が絶縁性のケース（４）に内蔵され、且つ該ケース（４）が携帯用電気機器（６）に具備した紐（７）で吊下することにより、本発明品が携帯用電気機器（６）と一緒に常時持ち歩かれ、且つ本発明の充電パッド（８）も一緒に持ち歩くことにより、何時でも簡単に充電が可能となり、特に携帯電話機（６）に本発明品を使用すれば、極めて便利なものとなる。
【００１９】
請求項３に示すように基盤（２）として、誘導した起電力の電圧を安定化させるための定電圧回路（２１）と、整流機能を有した整流回路（２２）とから成すことにより、携帯電話器などの携帯用電気機器（６）を充電する場合に、接触型を非接触型に変換することが容易な回路で対応出来るものとなる。
【００２０】
請求項４に示すようにケース（４）として、乗物や動物或いはキャラクターなどの形状に形成すると共に少なくとも上部にコネクター収納部（４１２）を設けたケース本体（４１）と、該ケース本体（４１）の下部に設けると共に基盤（２）と二次コイル（３）を内蔵する収納箱（４２）と、コネクター収納部（４１２）に冠着する蓋（４３）とから成すことにより、本発明品がコンパクトにまとまり、携帯用電気機器（６）に吊下され易くなるので、常時持ち歩きが可能となる。
【００２１】
請求項５のようにケース（４）を、乗物や動物或いはキャラクターなどの形状に形成したケース本体（４１）と、該ケース本体（４１）に嵌着すると共に基盤（２）と二次コイル（３）を内蔵する収納箱（４２）とから成すことにより、ケース（４）の構造が簡単になり、安価に提供でき、且つ請求項４と略同様な効果が得られる。
【００２２】
請求項６のようにコネクター（１）が他の携帯用電気機器（６）に接続できるための中継具（５）を具備し、該中継具（５）の一端にはコネクター（１）と接続するための中継コネクター（５１）を設け、他端には新たに携帯用電気機器（６）に接続するための差込コネクター（５２）を設け、且つこの差込コネクター（５２）には電圧調整機能及び逆流防止機能を有する基盤（５３）が内蔵されることにより、携帯用電気機器（６）の機種が異なっても、１つの非接触型充電パッド（８）でより多くの機種に対応して充電ができるものとなる。
【００２３】
請求項７に示すように板状のパッド本体（８１）と、該パッド本体（８１）に内蔵した一次コイル（８２）と、差込プラグ（８６）と、パッド本体（８１）の表面に二次コイル（３）が載置される位置或いは非接触型再充電性電池などを描示した載置描示部（８６）とから少なくとも構成した非接触型充電パッド（８）を１つ用意しておけば、携帯用電気機器（６）や非接触型再充電性電池の充電が共用して行えるものとなる。又、充電パッド（８）には接点がないため、湿気の多い場所で充電しても、漏電やショートする心配がなく、且つ端子の接触不良による充電効果の低下もなくなる。更に非接触型再充電性電池のサイズに関係なく二次コイル（３）側が載置描示部（８７）のコイル上に来るように置くだけで充電作業が可能となるため、従来の二次電池のようなプラスとマイナスのセット間違いがなくなり、且つセット時の接点接触不良による充電効果の低下が生じないものとなった。
【００２４】
請求項８に示すように一次コイル（８２）を複数個内蔵させておくと、本発明者が特願２００３−１０３７８９で提案した非接触型再充電性電池電池の充電用として使用すれば、便利なものとなる。また電池サイズに関係なく同時に充電させることが可能となる。
【図面の簡単な説明】
【図１】本発明のアダプターの要部回路を示す説明図である。
【図２】本実施形態のアダプターの要部を示す分解部品の斜視図である。
【図３】本発明品の使用状態を示す斜視図である。
【図４】本実施形態で使用される中継具を示す説明図である。
【図５】本実施形態のケースが動物や缶などに形成された状態を示す斜視図である。
【図６】本実施形態で使用される中継具の基盤回路を示す説明図である。
【図７】本発明の非接触型充電パッドを示す斜視図である。
【図８】複数個の一次コイルが内蔵された非接触型充電パッドの要部回路を示す説明図である。
【図９】本実施形態のケース下部に凸部が設けられ、且つ充電パッドに穴が設けられたものを使用して充電される場合の状態を示す説明図である。
【符号の説明】
１  コネクター
２  基盤
２１  定電圧回路
２２  整流回路
３  二次コイル
４  ケース
４１  ケース本体
４１２  コネクター収納部
４２  収納箱
４３  蓋
５  中継具
５１  中継コネクター
５２  差込コネクター
５３  基盤
６  携帯用電気機器
７  紐
８  充電パッド
８１  パッド本体
８２  一次コイル
８６  差込プラグ
８７  載置描示部
【図１】
2004350465.tif 000003
【図２】
2004350465.tif 000004
【図３】
2004350465.tif 000005
【図４】
2004350465.tif 000006
【図５】
2004350465.tif 000007
【図６】
2004350465.tif 000008
【図７】
2004350465.tif 000009
【図８】
2004350465.tif 000010
【図９】
2004350465.tif 000011
【手続補正書】
【提出日】平成16年2月25日(2004.2.25)
【手続補正１】
【補正対象書類名】明細書
【補正対象項目名】請求項６
【補正方法】変更
【補正の内容】
【請求項６】
前記コネクター（１）が他の携帯用電気機器（６）に接続できるための中継具（５）を具備し、該中継具（５）の一端には前記コネクター（１）と接続するための中継コネクター（51）が設けられ、他端には前記携帯用電気機器（６）に接続するための差込コネクター（52）が設けられ、且つ前記中継コネクター（51）には電圧調整機能及び逆流防止機能を有する基盤（53）が内蔵された請求項１記載の接触型充電式携帯用電気機器のアダプター。